(57)【要約】【課題】本発明は、モータの組立時にターミナルハウジングが電源供給端子と正確に組立できるように構造が改善されたモータのターミナル連結構造を提供する。【解決手段】本発明に係るモータは、互いに異なる極性の電源が印加される複数のコイルが巻線されるステーターコアに結合され、コイルとステーターコアのショートを防止するインシュレーター本体と、インシュレーター本体と一体に構成され、円周方向に突出して外部電源を供給するターミナルハウジングが結合されるターミナルハウジング結合部と、モータに電源を供給できるように、ターミナルハウジング結合部に結合するターミナルハウジングと、ターミナルハウジング結合部にターミナルハウジングを位置固定する固定ユニットと、ターミナルハウジングの回転角度を規制する、固定ユニット上の規制ユニットと、を含む。【選択図】図３
2014027873.tif 000002
【特許請求の範囲】
【請求項１】
互いに異なる極性の電源が印加される複数のコイルが巻線されるステーターコアに結合され、前記コイルとステーターコアのショートを防止するインシュレーター本体と、
前記インシュレーター本体と一体に構成され、円周方向に突出し、外部電源を供給するターミナルハウジングと結合されるターミナルハウジング結合部と、
モータに電源を供給できるように、前記ターミナルハウジング結合部に結合されるターミナルハウジングと、
前記ターミナルハウジング結合部に前記ターミナルハウジングを位置固定する固定ユニットと、及び
前記ターミナルハウジングの回転角度を規制する、前記固定ユニット上の規制ユニットと、を含むことを特徴とする、モータ。
【請求項２】
前記固定ユニットは、
前記ターミナルハウジング内のサイドガイドプレートと、
前記ターミナルハウジング結合部上の係止部材と、
を含むことを特徴とする、請求項１に記載のモータ。
【請求項３】
前記ガイドプレートは、
前記ターミナルハウジングの両先端に突設されることを特徴とする、請求項２に記載のモータ。
【請求項４】
前記ガイドプレートは、
一部の区間に弧状の内周面を有する通孔を含む係止部と、
前記係止部の通孔から延長される規制溝と、
を含むことを特徴とする、請求項２に記載のモータ。
【請求項５】
前記係止部は、
前記係止部材と対応するように形成され、前記係止部材がスナップフィット結合されることを特徴とする、請求項４に記載のモータ。
【請求項６】
前記係止部は、
前記係止部材よりも大きいことを特徴とする、請求項５に記載のモータ。
【請求項７】
前記係止部材は、
前記ターミナルハウジング結合部の前記サイドガイドプレートに対向するように突出することを特徴とする、請求項４に記載のモータ。
【請求項８】
前記係止部材は、
係止突起と、
前記係止突起の一側端部上の進入部と、及び
前記係止突起の一側方向に延長される規制突起と、
を含むことを特徴とする、請求項７に記載のモータ。
【請求項９】
前記係止突起は、
前記係止部と接触する面が弧状であることを特徴とする、請求項８に記載のモータ。 
【請求項１０】
前記規制突起は、
直線であることを特徴とする、請求項８に記載のモータ。
【請求項１１】
前記規制突起及び規制溝は、前記ターミナルハウジングの挿入方向に垂直な面を基準に１５乃至２５度の角度を有することを特徴とする、請求項１０に記載のモータ。
【発明の詳細な説明】
【技術分野】
【０００１】
本発明は、自動車用モータに関するものである。
【背景技術】
【０００２】
一般に、ＢＬＤＣ（Ｂｒｕｓｈｌｅｓｓ ＤＣ）モータは、ＤＣモータにおいてブラシと整流子が必要なく、電子的な整流機構を設置したモータであって、機械的なノイズだけでなく電気的なノイズも発生しない長所を有するモータである。
【０００３】
従来のＢＬＤＣモータは、モータハウジングやフレームなどに装着されるステーター（ｓｔａｔｏｒ）と、ステーターの内部に回転可能に挿入されるマグネットローター（ｍａｇｎｅｔ  ｒｏｔｏｒ）と、ローターの中心部に挿入されて固定される軸とを有する。
【０００４】
ステーターは、ステーターコアにコイルが巻取されている。ステーターコアは、１ｍｍ以内の珪素鋼板をプレスでパンチングした後、積層して製作されるものであって、各々の珪素鋼板は、円筒状に形成されたヨーク部と、該ヨーク部の内周面に円周方向に沿って一定の間隔を置いて中心に向かって突出する複数の歯部と、該歯部の先端に両側に突出して極性を帯びるポール部とからなる。
【０００５】
歯部の間にはコイルが巻かれる複数のスロットが形成され、スロットには、ステーターコアとコイルとの間を絶縁するように絶縁物質からなるインシュレーター（ｉｎｓｕｌａｔｏｒ）が挿入されている。インシュレーターは、ステーターコアの積層方向に沿って両側で各々密封されて挿入されるように結合されている。一方、コイルは、使用される電源の極性に対応するように巻線できるが、３相（Ｕ、Ｖ、Ｗ）電源を用いる場合、３極性の互いに異なるターミナルと通電可能に連結される。
【０００６】
インシュレーターにはターミナルハウジング結合部が一体に設けられ、電源供給のためのターミナルハウジングがターミナルハウジング結合部に嵌合されて結合される。一般に、ターミナルハウジングとインシュレーターは、合成樹脂材質で射出成形されるが、組立後にターミナルハウジング結合部とターミナルハウジングとの間の遊隔が大きく形成されて、電源印加位置の組立時にターミナルハウジングが離脱し易くなる問題がある。
【発明の概要】
【発明が解決しようとする課題】
【０００７】
本発明の目的は、モータの組立時にターミナルハウジングが電源供給端子と正確に組立できるように構造が改善されたモータのターミナル連結構造を提供することである。
【課題を解決するための手段】
【０００８】
本発明に係るモータは、互いに異なる極性の電源が印加される複数のコイルが巻線されるステーターコアと結合され、前記コイルとステーターコアのショートを防止するインシュレーター本体と、前記インシュレーター本体と一体に構成され、円周方向に突出して外部電源を供給するターミナルハウジングが結合されるターミナルハウジング結合部と、モータに電源を供給できるように、前記ターミナルハウジング結合部に結合されるターミナルハウジングと、前記ターミナルハウジング結合部に前記ターミナルハウジングを位置固定する固定ユニットと、前記ターミナルハウジングの回転角度を規制する、前記固定ユニット上の規制ユニットと、を含む。
【０００９】
前記固定ユニットは、前記ターミナルハウジング内のサイドガイドプレートと、前記ターミナルハウジング結合部上の係止部材と、を含んでもよい。
【００１０】
前記ガイドプレートは、前記ターミナルハウジングの両先端に突設されてもよい。
【００１１】
前記ガイドプレートは、一部の区間に弧状の内周面を有する通孔を含む係止部と、前記係止部の通孔から延長される規制溝と、を含んでもよい。
【００１２】
前記係止部は、前記係止部材と対応する形状で、前記係止部材がスナップフィット結合できる。
【００１３】
前記係止部は、前記係止部材より大きくてもよい。
【００１４】
前記係止部材は、前記ターミナルハウジング結合部の前記サイドガイドプレートに対向するように突出してもよい。
【００１５】
前記係止部材は、係止突起と、前記係止突起の一側端部上に進入部と、前記係止突起の一側方向に延長される規制突起と、を含んでもよい。
【００１６】
前記係止突起は、前記係止部と接触する面が弧状であってもよい。
【００１７】
前記規制突起は、直線であってもよい。
【００１８】
前記規制突起及び規制溝は、前記ターミナルハウジングの挿入方向に垂直な面を基準に１５乃至２５度の角度を有してもよい。
【発明の効果】
【００１９】
本発明によると、ターミナルハウジング１００がターミナルハウジング結合部２０に結合するとき、ピボット回転が可能であるため、ステーター２を挿入する工程時に、図２に図示された電源ターミナル１５０がターミナルハウジング１００の組立位置に正確に挿入できる。
【図面の簡単な説明】
【００２０】
【図１】本発明の一実施形態に係るモータの断面図である。
【図２】図１のステーターの分解斜視図である。
【図３】図２の要部拡大図である。
【発明を実施するための形態】
【００２１】
以下、本発明に係るモータについて図面を参照して説明する。
【００２２】
図１は、本発明の一実施形態に係るモータの断面図、図２は、図１のステーターの分解斜視図、そして、図３は、図２の要部拡大図である。
【００２３】
本発明に係るモータは、図１に示したように、モータハウジング１、ステーター２、ローター３、及び回転軸４を含む。
【００２４】
モータハウジング１は、上側が開口した状態で設けられ、内部にステーター２が固定配置されてもよい。モータハウジング１の形状は、使用されるモータの種類によって種々に形成され、デュアルクラッチトランスミッション（ＤＣＴ、Ｄｕａｌ−ｃｌｕｔｃｈ  Ｔｒａｎｓｍｉｓｓｉｏｎ）等のモータに用いられる場合、図１に示した形態のモータハウジング１が一対で設けられてもよい。この時、オープンされたモータハウジング１の上側面には、後述するローターの回転軸４と連結及び連結解除される動力出力軸が配置され、ローター３から出力される動力が選択的に伝達される。
【００２５】
デュアルクラッチトランスミッションは、従来の手動トランスミッションの車両に搭載される単板のクラッチトランスミッションとは異なって、２組のクラッチを搭載しており、一つのクラッチを介して伝達される動力で１、３、５段を実現し、残りの一つのクラッチを介して伝達される動力で２、４、６段を実現できるようにするシステムである。デュアルクラッチトランスミッションは、従来の自動トランスミッションの車両のような便利な運転性及びスムーズな変速感を提供すると共に、従来の手動トランスミッションの車両より高燃費を発揮できる特徴がある。
【００２６】
一般に、デュアルクラッチトランスミッションは、２組のクラッチからなるデュアルクラッチと、デュアルクラッチから動力が伝達されて各変速段を設定するトランスミッション制御ユニットと、デュアルクラッチのクラッチを各々制御するクラッチアクチュエータと、トランスミッション制御ユニットにセレクティング（ｓｅｌｅｃｔｉｎｇ）及びシフティング（ｓｈｉｆｔｉｎｇ）操作を加えて変速を行う変速アクチュエータと、車速など車両の各種情報と変速命令が伝達されてクラッチアクチュエータ及び変速アクチュエータを電子的に制御する電子制御ユニットとからなる。
【００２７】
従って、クラッチアクチュエータのセレクティング動作によってモータハウジング１に設置されているステーター２とローター３の出力軸とが連結されて、各々のトランスミッションに動力を伝達することができる。
【００２８】
ステーター２は、モータハウジング１の内側に設けられるものであり、好ましくは、図示したように、モータハウジング１の内部空間部を形成する円筒状のステーター安着部に結合されてもよい。ステーター２は、磁束形成のための金属材質のステーターコア３０に複数の歯を形成し、歯にコイルを巻線し、コイルに電源を印加して磁場を形成することができる。この時、歯を有するステーターコアにはインシュレーターを設置した状態でその上にコイルを巻線して、ステーターコアには電気が流れないように構成することができる。一方、歯の数は、モータの大きさと出力に応じて増減できる。
【００２９】
ローター３は、回転軸４が中央に結合されるコア部材３ａと、コア部材３ａに圧入結合される磁石部材３ｂとで構成されてもよい。
【００３０】
一方、ステーター２には、図２及び図３に示したように、略リング状に設けられたインシュレーター本体１０が、ステーターコア３０の上側に設置されてもよい。インシュレーター本体１０は、一側端部に突出するようにターミナルハウジング結合部２０が一体に形成される。一般に、インシュレーター本体１０は、樹脂材質で射出成形されるため、ターミナルハウジング結合部２０は、インシュレーター本体１０と同じ材質で金型から射出成形されることが好ましい。ターミナルハウジング結合部２０には、図示しない電源部との連結のため、図示しないターミナルハウジングが着脱可能に結合されてもよい。
【００３１】
インシュレーター本体１０の中央には、図２に示したように、複数の歯が形成され、インシュレーター本体１０と結合されるステーターコア３０の中央に形成された歯（図示せず）と１:１対応して結合できる。歯ガイドは、歯に巻線されるコイルが通電性材質で形成されるステーターコア３０とショートされることを防止する役割を果たすことができる。
【００３２】
一般に、インシュレーター本体１０は樹脂材質で射出成形されるため、ターミナルハウジング結合部２０は、インシュレーター本体１０と同じ材質で金型から射出成形されることが好ましい。ターミナルハウジング結合部２０には、図示しない電源部との連結のためのターミナルハウジング１００が固定ユニット１３０によって着脱可能に結合される。
【００３３】
固定ユニット１３０は、ターミナルハウジング１００に設けられたサイドガイドプレート１１０と、ターミナルハウジング結合部２０に設けられた係止部材１２０とで構成される。
【００３４】
サイドガイドプレート１１０は、図２及び図３に示したように、略六面体に形成されたターミナルハウジング１００の両先端に図面の上側方向に突設されるものであって、係止部材１２０と対応する位置には、弧状の係止部１１１、及びターミナルハウジング１００の回転角度を規制するための規制溝１１２を含んでもよい。
【００３５】
サイドガイドプレート１１０は、ターミナルハウジング１００をインシュレーター本体１０と一体に形成されたターミナルハウジング結合部２０側に固定するが、インシュレーター本体１０を含むステート２をハウジング１に組み立てながらターミナルハウジング１００の下側で電源ターミナル１５０が結合する際、一定の角度で回転可能に設けられ、組立過程において電源ターミナル１５０とターミナルハウジング１００の組立性を向上させることができる。
【００３６】
係止部１１１は、係止部材１２０がスナップフィット結合できるように、係止部材１２０と対応する形状に設けられてもよい。係止部１１１は、係止部材１２０よりは大きく形成されて、係止部材１２０が係止部１１１の内部で回転可能に組み立てられる。
【００３７】
規制溝１１２は、係止部材１２０に形成される規制突起１２３と対応する位置に形成され、規制溝１１２の方向及び大きさは設計によって多様に構成される。例えば、規制溝１１２の角度（α）は、図２及び図３で示したように、係止部１１１の中心で電源ターミナル１５０の挿入方向と垂直な仮想の線（ａ）を基準に１５乃至２５度になるように規制溝１１２を形成してもよい。本発明の一実施形態によると、規制溝１１２の形成角度は２０度になるように形成されるが、これに限定されず、設計必要に応じて適宜可変される。このように規制溝１１２を形成すると、係止部材１２０を中心にターミナルハウジング１００が回転する角度が係止部材１２０とサイドガイドプレート１１０のギャップにより一部流動するだけで、ターミナルハウジング１００が回転することは規制できるため、ターミナルハウジング１００がハウジング１に挿入される組立工程中に、電源ターミナル１５０と結合する過程でハウジング１と干渉が生じて破損したり、過度に固堅に固定されて組立過程で破損したりするなどの不良を防止することができる。
【００３８】
係止部材１２０は、ターミナルハウジング結合部２０のサイドガイドプレート１１０に向き合う方向に突設されるもので、係止突起１２１、進入部１２２及び規制突起１２３を含んでもよい。
【００３９】
係止突起１２１は、進入部１２２の後端に設けられてもよい。係止突起１２１は、ターミナルハウジング１００の結合位置において、係止部１１１にフックされ、ターミナルハウジング結合部２０からターミナルハウジング１００が離脱することを防止する。係止突起１２１は、サイドガイドプレート１１０に形成された係止部１１１にフック結合されるが、これら各々の接触面は弧状に設けられるため、丸く形成された係止部１１１の内周面と係止突起１２１の外周面は互いにスライディング回転可能である。
【００４０】
進入部１２２は、ターミナルハウジング１００の挿入方向（図２の矢印Ａ方向）に対して所定角度を有するスライディング傾斜面を有するように設けられる。従って、サイドガイドプレート１１０が、係止部材１２０の対応する位置に挿入される場合、サイドガイドプレート１１０を挿入方向に垂直な方向（矢印Ｂ方向）に弾性変形させることができる。
【００４１】
規制突起１２３は、係止部材１２０の一側に突設されるが、本発明の好ましい一実施形態によると、図２及び図３に示したように、一定の長さを有する直線状の突起で設けられてもよい。この時、規制突起１２３は、係止部材１２０の中心を基準に一定の角度を有するように設けられるが、本発明の一実施形態によると、係止部材１２０の中心を基準に２０度の角度を有することができる。この規制突起１２３によって係止突起１２１と係止部１１１が制限なしに回転移動することが防止される。
【００４２】
センターガイドプレート１２５は、図２に示したように、係止部材１２０の間に介在されて、ターミナルハウジング１００の挿入時、挿入方向をガイドし、ターミナルハウジング１００が結合位置に固定された場合、ターミナルハウジング１００の回転を抑制する。このように、センターガイドプレート１２５をインシュレーター本体１０とターミナルハウジング１００との間に介在すると、インシュレーター本体１０にコイルを巻線する途中でターミナルハウジング１００が回転しながら離脱することを防止することができ、ターミナルハウジング１００の結合を堅固に維持することができる。また、センターガイドプレート１２５が、ターミナルハウジング１００の挿入方向と平行方向に延設されるため、ターミナルハウジング１００の挿入時、ターミナルハウジング１００が捩れることなく、結合位置に挿入可能である。
【００４３】
上記で説明し、図面に図示された本発明の実施形態は、本発明の技術的思想を限定するものと解釈されてはいけない。本発明の保護範囲は、特許請求の範囲に記載された事項によってのみ制限され、本発明の技術分野において通常の知識を有する者は、本発明の技術的思想を多様な形態で改良変更することができる。従って、このような改良及び変更は、通常の知識を有する者に自明である限り、本発明の保護範囲に属するものである。
【符号の説明】
【００４４】
１    モータハウジング
２    ステーター
３    ローター
４    ローターの回転軸
１０    インシュレーター本体
２０    ターミナルハウジング結合部
３０    ステーターコア
１００    ターミナルハウジング
１１０    サイドガイドプレート
１１１    係止部
１１２    規制溝
１２０    係止部材
１２１    係止突起
１２２    進入部
１２３    規制突起
１２５    センターガイドプレート
１３０    固定ユニット
１５０    電源ターミナル
【図１】
2014027873.tif 000003
【図２】
2014027873.tif 000004
【図３】
2014027873.tif 000005